(57)【要約】静電霧化器は、１つまたはそれ以上のオリフィスで終端する流体チャネルと、オリフィスから出る流体の流量を制御するための手段と、流体が該または各オリフィスから排出されるときに霧化するように流体を帯電させるための手段とを備え、該霧化器はさらに、流動を自動的にパルス「オン」およびパルス「オフ」する制御手段と、帯電電圧の印加を自動的にパルス「オン」およびパルス「オフ」する制御手段とを備え、「オン」流動パルスおよび「オン」帯電パルスが実質的に相互に一致するように設定され、前記制御手段は帯電電圧の「オン」／「オフ」を電気的に切り替える。【選択図】図２
2008514401.tif 000002
【特許請求の範囲】
【請求項１】
１つまたはそれ以上のオリフィスで終端する流体チャネルと、前記オリフィスから出る流体の流量を制御するための手段と、流体が前記または各オリフィスから排出されるときに霧化するように流体を帯電させるための手段とを備えた静電霧化器であって、流動を自動的にパルス「オン」およびパルス「オフ」する制御手段と、帯電電圧の印加を自動的にパルス「オン」およびパルス「オフ」する制御手段とをさらに備え、前記「オン」流動パルスおよび前記「オン」帯電パルスが実質的に相互に一致するように設定され、前記制御手段が前記帯電電圧の「オン」／「オフ」を電気的に切り替えるように構成されて成る静電霧化器。
【請求項２】
前記帯電パルスの開始が前記流動パルスの開始直後に発生するように前記制御手段を構成した、請求項１に記載の静電霧化器。
【請求項３】
前記帯電パルスの停止が前記流動パルスの停止直前に発生するように前記制御手段を構成した、請求項１ないし２のいずれかに記載の静電霧化器。
【請求項４】
前記それぞれのパルスの開始またはパルスの停止間のタイミング差が１００マイクロ秒未満である、請求項１ないし３のいずれかに記載の静電霧化器。
【請求項５】
前記制御手段が前記帯電パルスを振動から形成させる、請求項１ないし４のいずれかに記載の静電霧化器。
【請求項６】
前記振動が１０から５０ＫＨｚの範囲の周波数を有する、請求項５に記載の静電霧化器。
【請求項７】
前記制御手段が可変パルス幅を適用させる、請求項１ないし６のいずれかに記載の静電霧化器。
【請求項８】
前記制御手段が可変パルス周波数を適用させる、請求項１ないし７のいずれかに記載の静電霧化器。
【請求項９】
前記パルス周波数が２ショットから１ＫＨｚの範囲である、請求項８に記載の静電霧化器。
【請求項１０】
１つまたはそれ以上のオリフィスで終端する流体チャネルと、前記オリフィスから出る流体の流量を制御する手段と、流体が前記または各オリフィスから排出されるときに霧化するように流体を帯電させるための手段とを備えた静電霧化器であって、流体の流量を制御するための前記手段が、オンとオフとの間でパルス変化して、前記または各オリフィスからの流出を許可するか、あるいは前記または各オリフィスからの流出を妨げるように構成され、前記霧化器のオリフィス流出がオフのときに流体を電荷付与位置から循環させる手段が提供されて成る静電霧化器。
【請求項１１】
電荷付与の位置および前記流量制御手段が近接して配置され、流量制御弁がオリフィスより外側に配置される、請求項１ないし１０のいずれかに記載の静電霧化器。
【請求項１２】
前記流量制御手段が流体を帯電させるための前記手段の電極と結合された弁を組み込み、前記霧化器のオリフィスが略円形嚢内に配置され、前記電極の先端が前記円形嚢内部に嵌合するように、前記電極の先端が実質的に同様の先端形状を有する、請求項１に記載の静電霧化器。
【請求項１３】
前記流量制御手段が弁を組み込み、流体を帯電させるための前記手段の電極が弁の座として働き、前記帯電領域が前記帯電電極と第２電極として働くオリフィスを有する壁との間で、前記座の下に形成される、請求項１に記載の静電霧化器。
【請求項１４】
添付の明細書および／または図面の適切な組合せに関連して実質的に記載しかつ／または図示した静電霧化器。
【発明の詳細な説明】
【発明の技術分野】
【０００１】
本発明は静電霧化器に関する。これらは多種多様の分野に、例えば燃焼燃料、例えば薬剤の送達における溶液、化粧液、および例えば家庭用スプレーにおける他の合成液の供給に、使用することができる。本願に記載する本発明は、これらの特定の用途のいずれかにも限定されず、本書に添付する特許請求の範囲に含まれる請求の範囲内に該当するどの霧化器にも適用可能であるように意図している。
【発明の一般的背景】
【０００２】
霧化器の多くの用途は、霧化される流体の流量制御が必要である。したがって、これらの領域で静電霧化を使用するためには、パルス幅変調静電霧化が必要である。高レベルの霧化を達成するためには、帯電領域で流体に高電圧電位が必要である。流体の流動が停止すると、印加された高電位は流体の絶縁破壊を引き起こし、結果的に流体に有害な電気アークが発生し、流体の解離、電極の損傷、炭素の堆積、および電荷電位の損失を生じる。
【出願人の知る先行技術】
【０００３】
最も密接な先行技術は、公開時にRobert Bosch GmbHに譲渡された米国特許第5,234,170号（SCHIRMERら）であり、それは、弁ニードルの位置により、噴射器のオリフィスの近傍に配置された帯電領域への静電電荷の付与をトリガしながら、噴射器からの燃料の流量を制御するための噴射弁の使用を教示している。流体の静電気帯電のために供給される電力は、この先行技術文書に示すように、機械的にオン／オフが切り替えられる直流供給である。この先行技術文書の流体噴射は、流体慣性のため静電電荷の急激な瞬時開始を時間的に遅らせる。噴射器ニードルが図示する燃料噴射システム内のその座から最初に上昇すると、空気が最初に帯電領域に充満する傾向があり、流体圧力差が充分になって初めて流体の流動が起こる。したがって、この設計の噴射器は、流体帯電領域内部における有害な電気アークまたは放電を免れない可能性が高い。さらに、この先行技術文書の静電霧化器は、様々な媒体状態に対してパルスの開始を変化させることのできる流量および静電気制御手段を持たない。
【０００４】
他の先行技術文書は、霧化中の絶縁破壊を最小化するように構成および制御された噴射器を提示する。同様にRobert Bosch GmbHに譲渡された米国特許第5,297,738号（LEHRら）は、パルス幅変調電荷またはパルス幅変調流動の使用を構想していない。この先行技術のシステムは、機械的旋回導管を使用することによって、電極電位を低減することにより電気絶縁破壊を制限しようとする。したがってこの先行技術文書は、電気的手段ではなく、主に機械的手段によって絶縁破壊を制御することを示唆している。
【０００５】
米国特許第2,227,465号および米国特許第6,206,307号（ARNOLD J. KELLYら）では、噴射器は、長期絶縁破壊を生じることなく、帯電電位を最大にすることによって、霧化を最大にするように提示され制御される。これは主として、印加される帯電電圧をオン／オフのいずれかに、または高電圧値の周期で変化させることによって達成される。実際の流れをパルス化するという示唆は無い。電荷の印加に対して相対的に流量を正確に制御する制御手段の記載は特に無い。実際の実施形態は、定常流動における長期絶縁破壊に関連付けられる問題に対処することに焦点を合わせている。流量および帯電電圧を共に制御することも示されていない。
【特許文献１】米国特許第5,234,170号
【特許文献２】米国特許第5,297,738号
【特許文献３】米国特許第2,227,465号
【特許文献４】米国特許第6,206,307号
【０００６】
上記先行文書はいずれも、霧化の開始から図１ｂに示した種類の霧化の開始を達成する解決策を提示していない。先行技術のシステムのいずれも、パルス幅変調される主に静電気的システムにおける電気絶縁破壊を回避するものではない。
【発明の概要】
【０００７】
第１の広義の独立態様では、本発明は、１つまたはそれ以上のオリフィスで終端する流体チャネルと、オリフィスから出る流体の流量を制御する手段と、流体が該または各オリフィスから排出されるときに霧化するように流体を帯電させるための手段とを備えた静電霧化器であって、該霧化器がさらに、流動を自動的にパルス「オン」およびパルス「オフ」する制御手段と、帯電電圧の印加を自動的にパルス「オン」およびパルス「オフ」する制御手段とを備え、「オン」流動パルスおよび「オン」帯電パルスが実質的に相互に一致するように設定され、制御手段が帯電電圧の「オン」／「オフ」を電気的に切り替えるように構成された霧化器を提供する。
【０００８】
この構成は、流動パルスの開始時から、その途中、および終了時まで、高レベルの霧化が可能であるので、特に有利である。また、絶縁破壊を最小化する利点をも有する。改善された霧化は言うまでもなく、霧化された流体の均等な拡散の代わりに大きい液滴が形成される危険性を低減する。燃料燃焼用途では、大きい液滴の形成を導く状態は、過度の汚染および噴射器の破損を引き起こすが、本発明の構成により回避され、あるいは大部分が軽減される。
【０００９】
本発明の第１の広義の独立態様による従属態様では、制御手段は、帯電パルスの開始が流体流動パルスの開始直後に発生するように構成される。この非従来型のシーケンスは、電荷の付与に対する流動の開始時間の相対的差を可能にする。これは、各パルスの開始期の放電損傷の危険性を緩和するかまたは完全に排除しながら、改善された霧化をもたらす。
【００１０】
さらなる従属態様では、制御手段は、帯電パルスの停止が流体流動パルスの停止直前に発生するように構成される。この非従来型の事象のシーケンスもまた、流体流動パルスの後期の絶縁破壊を回避するのに貢献する。
【００１１】
さらなる従属態様では、それぞれのパルス開始またはパルス停止の間の時間差は、１００マイクロ秒未満である。この数字未満で、高周波の流体流動パルスを霧化器によって達成することが可能である一方、有利な霧化が生じる。
【００１２】
さらなる従属態様では、制御手段は振動から帯電パルスを形成させる。この構成はまた、高電圧電荷供給の非常に急激な開始および停止をも可能にする。
【００１３】
さらなる従属態様では、振動は１０〜５０ＫＨｚの範囲の周波数を持つ。この振動の範囲内で、動作の特に高レベルの信頼性を達成することができる。
【００１４】
帯電パルスはパルス幅変調することもできる。
【００１５】
さらなる従属態様では、制御手段は可変パルス幅を印加させる。先行技術を凌ぐこの独自の特徴は、これまでの本発明の態様に関連して上述した利点を維持しながら、静電霧化器を多種多様な用途に使用することを可能にする。
【００１６】
さらなる従属態様では、制御手段は可変パルス周波数を印加させる。これは本発明の分野の文脈で独自の特徴であり、先行技術で構想されたより幅広い多様な用途で霧化器を使用することを可能にする。
【００１７】
さらなる従属態様では、パルス周波数は２ショットから１ＫＨｚまでの範囲である。
【００１８】
本発明に係る第２の広義の独立態様では、１つまたはそれ以上のオリフィスで終端する流体チャネルと、オリフィスから出る流体の流量を制御する手段と、流体が該または各オリフィスから排出されるときに霧化するように流体を帯電させるための手段とを備えた静電霧化器であって、流体の流量を制御するための前記手段が、オンとオフとの間でパルス変化して、該または各オリフィスからの流出を許可するか、あるいは該または各オリフィスからの流出を妨げるように構成され、霧化器のオリフィス流出がオフのときに流体を電荷付与位置から循環させる手段が提供された、霧化器を提供する。
【００１９】
これは、定常静電電荷および流体流量を静電気帯電の目的に適用することを可能にする。この構成では、付与された電荷は、流体の循環期中に消散する。したがって、流動がオリフィスの方向に向けられると、正確なタイムパルス開始期を必要とすることなく、すぐに霧化が発生する。したがって、流動の開始からかつ流動の終わりに達成される流量は、図１ｂに示した種類となる。
【００２０】
上記態様のいずれかに係るいずれかの従属態様では、電荷付与位置および流量制御手段は近接して配置され、流量制御弁はオリフィスより外側に配置される。この構成は、流動パルスおよび静電気付与パルスの改善されたタイミングを可能にし、改善された霧化を達成する。
【００２１】
さらなる従属態様では、流量制御手段は、流体を帯電させるための手段の電極と結合された弁を組み込み、霧化器のオリフィスは略円形嚢内に配置され、前記電極の先端は、電極の先端が円形嚢内部に嵌合するように、実質的に同様の形状を有する。静電霧化器の従来の手法では円錐形の電極が使用され、したがってそれは円形嚢と合致しない。この構成は、特定の用途の霧化をさらに改善する。
【００２２】
さらなる従属態様では、流量制御手段は弁を組み込み、流体を帯電させるための手段の電極は弁の座として働き、帯電領域は前記帯電電極と第２電極として働くオリフィスを有する壁との間で、座の下に形成される。この構成は、流動パルスおよび静電パルスの改善された制御を可能にする。
【図面の詳細な説明】
【００２３】
図１Ａは、本発明の方法で高電圧を印加しない燃料噴射を示す。噴射は、初期の細い直線状の帯と、噴射の最遠末端の大きい単一の液滴とを有する。写真は、オリフィスから出る流動の開始から０．３ｍｓ後に撮影したものである。
【００２４】
図１Ｂは、本発明の独創的な制御手段により高度に霧化された状態の流動の開始から０．３ｍｓ後の噴射を示す。図１ｂに示す種類の霧化を達成することのできる実施形態の詳細について、今、詳述する。
【００２５】
図２は、接地電極としても働く筐体２を有する、一般的に１で表わされる噴射器を示す。流体を噴射器内に供給することができるように、流体または燃料入口が噴射器の上に配置される。外部筐体２の内側に、接地電極２を静電電極５から分離する絶縁層４が設けられる。絶縁層４の内側に、弁ピントル６が設けられ、その位置はソレノイド７および該ソレノイドの動作を駆動する制御手段によって制御される。電極５およびソレノイド７の動作を制御する処理手段は図には示されていないが、この説明の後の段階でさらに詳述する。絶縁層を横切るように、それぞれソレノイド７を適切な処理手段に接続し、かつ電極５を電流源に接続する、電機コネクタ８および９が設けられる。
【００２６】
ピントル６は、ソレノイドがピントルをオリフィス１１に被せたときに、流れが流体／燃料通路から排出することを妨げるように弁座として働く電極５に向かって、または電極５から離れるように、狭隘なチャネル１０内で変位可能であるように構成される。ソレノイドが付勢されると、ピントルは、燃料がオリフィス１１を通過できるようにするために、その座から（図に示すように）持ち上げられる。
【００２７】
静電電極５は、内容を参照によって本願に援用する、出願人自身の先行特許出願文献第PCT/GB2004/000458号に提示する種類のファセット要素の配列を含むことができる。
【００２８】
電極点のファセット層の下には、静電気帯電領域１４が電極５、絶縁層４、および１３で表わされるような排出オリフィスの配列の間に形成される。
【００２９】
図３は、図２に提示した噴射器と同様の特徴を持つ噴出器を示す。簡潔を期すために、同一特徴は、同一参照番号を維持している。図３の弁もまた、ソレノイド作動ピントルを使用する。しかし、ピントル１５は、半径方向に内側に静電電極１６を含むように変更されている。電極１６は、円形の多重オリフィス嚢１７と実質的に合致するように、略円形の先端で終端する。
【００３０】
この実施形態では弁座は、ピントルが接地電極のテーパ状部分に載置されたときに燃料の流動が「オフ」になるように、ピントル１５のテーパ状部分に一致するように設計されたテーパ状領域１７Ａを有する接地電極２によって形成される。図２に関連して述べたように、ソレノイドが付勢されると、静電電極１６とオリフィス嚢１７との間に配置された静電気帯電領域１８内へのテーパ状部分の間の流動を可能とするために、ピントルは図３に示す位置から上昇する。本発明はまた、ピントルが電極と同軸的に、しかし別個に、動作することができることも構想する。
【００３１】
図４は、噴射器が一般的に１９で表わされる、本発明のさらなる実施形態を示す。噴射器１９は、燃料のような流体が噴射器の側部から、燃料通路２０を通って噴射器内を下り、筐体電極２２、絶縁材２３、および静電電極２４の間に形成された静電気帯電領域２１内に供給される。静電電極２４は噴射器の中心に配置され、円筒状の先端は絶縁材から外向きに延びる。静電電極の突出部全体が、例えばダイアモンドの配列によって形成される近接静電電極点の配列によって覆われる。
【００３２】
噴射器の筐体の外部には、噴射器から出る流量を制御するために、適切なときに燃料噴射排出オリフィス２６上を枢動または褶動することのできる流体流量制御弁２５が設けられる。
【００３３】
図２および図３に示した実施形態の動作の態様を、これらの両図の流体流量制御弁が静電気帯電領域の直前に配置されるという点から、図５ａに示す。この近接配置は、特にパルス静電スプレー用途に多数の利点を有する。
【００３４】
図５Ｂは、静電気帯電領域が噴射器の流体流量制御弁の直前に位置する図４に示すようなシステム内で、流体流量制御弁と向かい合った静電気帯電要素の配置を示す。
【００３５】
図６は、パルス流動が高電圧のパルス印加と実質的に一致する時間パルス線を示す。図８Ｂに関連してさらに詳述する処理手段は、高電圧パルスの周波数により流動の周波数を変動させると言うことができる。処理手段はまた、流動および高電圧のパルス幅を並行して変動させるために使用することもできる。
【００３６】
処理手段は、流動パルスの開始後１マイクロ秒未満に高電圧パルスを開始するように設定することができる。流動の開始は、初期慣性を克服した後の実際の流動の変位と理解される。それは特に、流動が静電気室を通して変位し始めるときである。流動の開始は、単に弁の開口と理解すべきではない。室内のまたはオリフィスから出る実際の流動の開始から１マイクロ秒後に、本発明の特に有利な実施形態に従って高電圧が印加される。
【００３７】
流動および高電圧の両方の制御は、特定の動作状態についてエンジン制御装置（ＥＣＵ）に格納された情報に依存する。静電気室を通しての流動を開始させるべくピントルまたは他の流量弁が高電圧の印加に先立って充分に持ち上げられるようにするために、燃料圧力、燃料の種類、燃料温度、エンジン温度、および燃焼室圧力のような特徴は、所与の噴射器構造の流動遅延時間と並行して、ＥＣＵによって評価される。ＥＣＵは、使用中の動作の変化の特性としてピントル起動と電荷の付与との間の時間を変更するために、詳細なルックアップテーブルを持つことができる。
【００３８】
さらに、流動パルスの停止は、高電圧パルスの停止後１マイクロ秒未満に発生すると言うことができる。
【００３９】
この特定の実施形態では、高電圧パルスは直流パルスである。図７は、高周波振動電圧パルスを利用する可能性を示す。高い振動子の周波数は１０から１００ＫＨｚの間に設定することが好ましい。
【００４０】
振動高電圧パルスの「オン」および／または「オフ」を切り替えるために高電圧調整器を使用する、振動高電圧パルスを達成するための制御回路を図８Ａに提示する。
【００４１】
図８Ｂは、図６に示す種類の直流高電圧パルスを達成するために使用することのできる、特定の制御セットアップを示す。高電圧スイッチは、霧化のための直流電圧の印加を制御する。図８Ａおよび８Ｂの両方におけるエンジン制御装置（ＥＣＵ）は、流動および高電圧印加の実質的に同時パルスを達成するために、流動および高電圧調整器および／または高電圧スイッチを制御するように設定される。
【００４２】
図９は、図４に関連して示したものと同様の特徴を有する、一般的に２７で表わされたさらなる噴射器を示す。説明を簡潔にするために、同様の特徴には同様の参照番号が提供されている。主な相違は、流体流量制御弁が「オフ」のときに、入口ダクト２９を通して流入する流体を帯電領域２１に循環させ、流体戻りダクト２８および３０を介して流出させることを可能にする、流体流出ダクト２８が設けられたことである。流体がこのようにして循環すると、その電荷は失われる。しかし、電荷は依然として帯電領域２１で連続的レベルで付与される。弁２５が（オン）段階で開くと、高電荷流体は最適な霧化状態ですぐにオリフィス２６から排出される。
【００４３】
図１０は、図９の実施形態の動作モードの流れ図を示す。帯電した要素は、流体流量制御弁が開いているときに、オリフィスから排出されるか、あるいは流量制御弁が閉じているときに、循環されて圧力調節弁に供給されるかのいずれかである。
【００４４】
図１１は、図９の実施形態のパルス線を示す。燃料の流動は単一パルス中は定常状態である。つまり、流体戻りダクトを通過するか、あるいはオリフィスから排出するかのいずれかである。流量弁が開いているとき、流体戻りダクト内の制限された流動が発生する。高電圧は全体を通して印加される。流量弁は、それが開いた瞬間から各パルスの終わりまで霧化噴射を達成する。
【図面の簡単な説明】
【００４５】
【図１】どちらも流動の開始から０．３ｍｓ後の流体の流動を示す２つの写真ＡおよびＢであり、図１Ａは、静電電荷無しの流動を示す一方、図１Ｂは流動の開始直後に静電電荷が付与されたオリフィスからの流出を示す。
【図２】本発明の第１実施形態に係る、静電気帯電領域の直前に流体制御弁を持つ霧化器を示す図である。
【図３】本発明の第２実施形態に係る、弁座の下に配置された静電電荷素子用の領域に近接する流体流量制御弁を示す図である。
【図４】本発明の第３実施形態に係る、噴射器より外部に配置された流体流量制御弁を持つ霧化器を示す図である。
【図５ａ−５ｂ】図２、３、および４の実施形態を示す概略フローチャートである。
【図６】パルス周波数および幅変調霧化器の第１動作方法を示す図である。
【図７】パルス周波数および幅変調霧化器の第２動作方法を示す図である。
【図８ａ−８ｂ】図６および７に関連して述べた第１および第２モードの動作方法の制御図を示す図である。
【図９】流体流量制御弁が閉じたときに帯電室から外に流体を循環させるためのチャネルを持つ霧化器（本発明の第４実施形態）を示す図である。
【図１０】図９の実施形態の動作を示すフローチャートである。
【図１１】図９の実施形態の制御面を示す図である。
【図１】
2008514401.tif 000003
【図２】
2008514401.tif 000004
【図３】
2008514401.tif 000005
【図４】
2008514401.tif 000006
【図５ａ−５ｂ】
2008514401.tif 000007
【図６】
2008514401.tif 000008
【図７】
2008514401.tif 000009
【図８ａ−８ｂ】
2008514401.tif 000010
【図９】
2008514401.tif 000011
【図１０】
2008514401.tif 000012
【図１１】
2008514401.tif 000013
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
１つまたはそれ以上のオリフィスで終端する流体チャネルと、前記オリフィスから出る流体の流量を制御するための手段と、流体が前記または各オリフィスから排出されるときに霧化するように流体を帯電させるための手段とを備えた静電霧化器であって、流動を自動的にパルス「オン」およびパルス「オフ」する制御手段と、帯電電圧の印加を自動的にパルス「オン」およびパルス「オフ」する制御手段とをさらに備え、前記「オン」流動パルスおよび前記「オン」帯電パルスが実質的に相互に一致するように設定され、前記制御手段が前記帯電電圧の「オン」／「オフ」を電気的に切り替え、かつ前記帯電パルスの開始が前記流動パルスの開始直後に発生するように構成されて成る静電霧化器。
【請求項２】
前記帯電パルスの停止が前記流動パルスの停止直前に発生するように前記制御手段を構成した、請求項１に記載の静電霧化器。
【請求項３】
前記それぞれのパルスの開始またはパルスの停止間のタイミング差が１００マイクロ秒未満である、請求項１および２のいずれかに記載の静電霧化器。
【請求項４】
前記制御手段が前記帯電パルスを振動から形成させる、請求項１ないし３のいずれかに記載の静電霧化器。
【請求項５】
前記振動が１０から５０ＫＨｚの範囲の周波数を有する、請求項４に記載の静電霧化器。
【請求項６】
前記制御手段が可変パルス幅を適用させる、請求項１ないし５のいずれかに記載の静電霧化器。
【請求項７】
前記制御手段が可変パルス周波数を適用させる、請求項１ないし６のいずれかに記載の静電霧化器。
【請求項８】
前記パルス周波数が２ショットから１ＫＨｚの範囲である、請求項７に記載の静電霧化器。
【請求項９】
１つまたはそれ以上のオリフィスで終端する流体チャネルと、前記オリフィスから出る流体の流量を制御する手段と、流体が前記または各オリフィスから排出されるときに霧化するように流体を帯電させるための手段とを備えた静電霧化器であって、流体の流量を制御するための前記手段が、オンとオフとの間でパルス変化して、前記または各オリフィスからの流出を許可するか、あるいは前記または各オリフィスからの流出を妨げるように構成され、前記霧化器のオリフィス流出がオフのときに流体を電荷付与位置から循環させる手段が提供されて成る静電霧化器。
【請求項１０】
電荷付与の位置および前記流量制御手段が近接して配置され、流量制御弁がオリフィスより外側に配置される、請求項１ないし９のいずれかに記載の静電霧化器。
【請求項１１】
前記流量制御手段が流体を帯電させるための前記手段の電極と結合された弁を組み込み、前記霧化器のオリフィスが略円形嚢内に配置され、前記電極の先端が前記円形嚢内部に嵌合するように、前記電極の先端が実質的に同様の先端形状を有する、請求項１に記載の静電霧化器。
【請求項１２】
前記流量制御手段が弁を組み込み、流体を帯電させるための前記手段の電極が弁の座として働き、前記帯電領域が前記帯電電極と第２電極として働くオリフィスを有する壁との間で、前記座の下に形成される、請求項１に記載の静電霧化器。
【請求項１３】
添付の明細書および／または図面の適切な組合せに関連して実質的に記載しかつ／または図示した静電霧化器。
【国際調査報告】
2008514401.tif 000014
2008514401.tif 000015